(57)【要約】      （修正有）【課題】  上りリンクサービスを支援する移動通信システムにおけるデータ伝送の方法及び装置を提供する。【解決手段】  複合自動再送信要求（ＨＡＲＱ）を支援しない第１データチャンネル及びＨＡＲＱを支援する第２データチャンネルを介して伝送されるデータの伝送フォーマット（ＴＦ）情報を決定し、決定された伝送フォーマット情報に従って、第１データチャンネル及び第１データチャンネルの制御情報を運搬する第１制御チャンネルと第２データチャンネル及び第２データチャンネルの制御情報を運搬する第２制御チャンネルとに対する利得係数を決定し、チャンネルを伝送するのに要求される総送信電力が最大許容電力を超過すると、第２データチャンネルに対する利得係数を減少させ、減少された利得係数及び第１データチャンネル、第１制御チャンネル、及び第２制御チャンネルの利得係数を用いてチャンネルの送信電力を調節する。【選択図】  図８
2006014304.tif 000002
【特許請求の範囲】
【請求項１】
向上した上りリンクサービスを支援する移動通信システムにおいて、複合自動再送信要求（ＨＡＲＱ）を支援しない第１のチャンネル及びＨＡＲＱを支援する第２のチャンネルを伝送する方法であって、
前記チャンネルのための送信電力係数を決定し、前記チャンネルの伝送に必要な総送信電力が最大許容電力を超過するか否かを確認するステップと、
前記総送信電力が前記最大許容電力を超過すると、前記第２のチャンネルのための送信電力係数を減少させるステップと、
減少された前記送信電力係数及び前記第１のチャンネルのための送信電力係数を使用して前記第１及び第２のチャンネルを介してデータを伝送するステップと
を含むことを特徴とする方法。
【請求項２】
前記減少させるステップは、
スロット単位で遂行されることを特徴とする請求項１記載の方法。
【請求項３】
前記総送信電力は、
前記第１及び第２のチャンネルのための送信電力係数及びシステムによる送信電力制御（ＴＰＣ）命令を考慮して決定されることを特徴とする請求項１記載の方法。
【請求項４】
前記第２のチャンネルの送信電力係数があらかじめ設定された最小値以下に減少される場合、前記第１のチャンネルを構成する他のチャンネルに相当する送信電力係数を均一に減少させるステップをさらに含むことを特徴とする請求項１記載の方法。
【請求項５】
あらかじめ設定された前記最小値は、
前記第２のチャンネルを伝送しない状態を示すことを特徴とする請求項４記載の方法。
【請求項６】
前記第２のチャンネルの送信電力係数が減少された後にも、前記総送信電力が前記最大許容電力を超過すると、前記第２のチャンネルを除いた他のチャンネルの送信電力係数を均一に減少させるステップをさらに含むことを特徴とする請求項１記載の方法。
【請求項７】
前記第２のチャンネルの送信電力係数が減少された後にも、前記総送信電力が前記最大許容電力を超過すると、チャンネル別優先順位に従って、前記第２のチャンネルを除いた他のチャンネルの送信電力係数を順次に減少させるステップをさらに含むことを特徴とする請求項１記載の方法。
【請求項８】
前記チャンネル別優先順位は、
再伝送を支援しないチャンネルに比べて再伝送を支援するチャンネルが相対的に低いチャンネル優先順位を有し、制御情報を運搬するチャンネルに比べてデータを運搬するチャンネルが相対的に低いチャンネル優先順位を有することを特徴とする請求項７記載の方法。
【請求項９】
前記減少させるステップは、
伝送される前記第２のチャンネルのデータが再伝送データである場合、前記第２のチャンネルの送信電力係数を減少させることを特徴とする請求項１記載の方法。
【請求項１０】
伝送される前記第２のチャンネルのデータが最初伝送データである場合、前記総送信電力が前記最大許容電力を超過しないように、前記第２のチャンネルを構成するすべてのチャンネルの送信電力係数を均一に減少させることを特徴とする請求項１記載の方法。
【請求項１１】
伝送される前記第２のチャンネルのデータが最初伝送データである場合、前記総送信電力が前記最大許容電力を超過しないように、前記第２のチャンネルを構成するすべてのチャンネルの送信電力係数をあらかじめ決定されたチャンネル別優先順位に従って順次に減少させることを特徴とする請求項１記載の方法。
【請求項１２】
前記チャンネル別優先順位は、
再伝送を支援しないチャンネルに比べて再伝送を支援するチャンネルが相対的に低いチャンネル優先順位を有し、制御情報を運搬するチャンネルに比べてデータを運搬するチャンネルが相対的に低いチャンネル優先順位を有することを特徴とする請求項１１記載の方法。
【請求項１３】
前記減少させるステップは、
特定のスロットで、基地局から受信された送信電力制御（ＴＰＣ）命令に従って予測された総送信電力を獲得するステップと、
前記予測された総送信電力が前記最大許容電力を超過しないようにする前記第２のチャンネルの第１の送信電力係数を求めるステップと、
前記特定のスロットに対して前記第１の送信電力係数を前記減少された送信電力係数として提供するステップと、
測定された前記総送信電力を用いて、前記特定のスロットに後続する少なくとも１つの次のスロットに対して、あらかじめ決定された電力制御単位値だけ増加された総送信電力値と前記電力制御単位値だけ減少された総送信電力値とを求め、増加された前記総送信電力値及び減少された前記総送信電力値がそれぞれ前記最大許容電力を超過しないようにする増加された前記総送信電力値及び減少された前記総送信電力値に対応する前記第２のチャンネルの第２の送信電力係数をそれぞれ求めるステップと、
前記少なくとも１つの次のスロットでＴＰＣ命令を受信し、受信された前記ＴＰＣ命令が増加（UP）を示すか、又は減少（DOWN）を示すかに従って、前記第２の送信電力係数のうちの１つを選択するステップと、
前記少なくとも１つの次のスロットで選択された前記第２の送信電力係数を減少された前記送信電力係数として提供するステップと
を含むことを特徴とする請求項１記載の方法。
【請求項１４】
前記送信電力係数は、
基地局から受信されたスケジューリング割当て情報に従って選択された伝送フォーマット（ＴＦ）に基づいてそれぞれ決定されることを特徴とする請求項１記載の方法。
【請求項１５】
向上した上りリンクサービスを支援する移動通信システムにおいて、複合自動再送信要求（ＨＡＲＱ）を支援しない第１のチャンネル及びＨＡＲＱを支援する第２のチャンネルを伝送する装置であって、
前記チャンネルのための送信電力係数を決定し、前記チャンネルの伝送に必要な総送信電力が最大許容電力を超過するか否かを確認して、前記総送信電力が前記最大許容電力を超過すると、前記第２のチャンネルのための送信電力係数を減少させる制御器と、
前記第１及び前記第２のチャンネルデータのチャンネルコーディング及び変調を遂行して第１及び第２のデータフレームを生成する第１及び第２のチャンネル生成器と、
減少された前記送信電力係数及び前記第２のチャンネルのための送信電力係数を用いて、前記第１及び第２のチャンネルのデータフレームを伝送するための前記第１及び第２のチャンネルの送信電力を減少させる利得調節器と
を含むことを特徴とする装置。
【請求項１６】
前記制御器は、
前記総送信電力が前記最大許容電力を超過する場合、スロット単位に前記第２のチャンネルのための送信電力係数を減少させることを特徴とする請求項１５記載の装置。
【請求項１７】
前記制御器は、
前記第１のチャンネル及び前記第２のチャンネルのための送信電力係数とシステムによる送信電力制御（ＴＰＣ）命令とに基づいて、前記総送信電力を決定することを特徴とする請求項１５記載の装置。
【請求項１８】
前記制御器は、
前記第２のチャンネルの送信電力係数があらかじめ設定された最小値以下に減少される場合、前記第１のチャンネルを構成する他のチャンネルに相当する送信電力係数を均一に減少させることを特徴とする請求項１５記載の装置。
【請求項１９】
あらかじめ設定された前記最小値は、
前記第２のチャンネルを伝送しない状態を示すことを特徴とする請求項１８記載の装置。
【請求項２０】
前記制御器は、
前記第２のチャンネルの送信電力係数が減少された後にも、前記総送信電力が前記最大許容電力を超過すると、前記第２のチャンネルを除いた他のチャンネルの送信電力係数を均一に減少させることを特徴とする請求項１５記載の装置。
【請求項２１】
前記制御器は、
前記第２のチャンネルの送信電力係数が減少された後にも、前記総送信電力が前記最大許容電力を超過すると、チャンネル別優先順位に従って、前記第２のチャンネルを除いた他のチャンネルの送信電力係数を順次に減少させることを特徴とする請求項１５記載の装置。
【請求項２２】
前記チャンネル別優先順位は、
再伝送を支援しないチャンネルに比べて再伝送を支援するチャンネルが相対的に低いチャンネル優先順位を有し、制御情報を運搬するチャンネルに比べてデータを運搬するチャンネルが相対的に低いチャンネル優先順位を有することを特徴とする請求項２１記載の装置。
【請求項２３】
前記制御器は、
伝送される前記第２のチャンネルのデータが再伝送データである場合、前記第２のチャンネルの送信電力係数を減少させることを特徴とする請求項１５記載の装置。
【請求項２４】
伝送される前記第２のチャンネルのデータが最初伝送データである場合、前記総送信電力が前記最大許容電力を超過しないように、前記第２のチャンネルを構成するすべてのチャンネルの送信電力係数を均一に減少させることを特徴とする請求項１５記載の装置。
【請求項２５】
前記制御器は、
伝送される前記第２のチャンネルのデータが最初伝送データである場合、前記総送信電力が前記最大許容電力を超過しないように、前記第２のチャンネルを構成するすべてのチャンネルの送信電力係数をあらかじめ決定されたチャンネル別優先順位に従って順次に減少させることを特徴とする請求項１５記載の装置。
【請求項２６】
前記チャンネル別優先順位は、
再伝送を支援しないチャンネルに比べて再伝送を支援するチャンネルが相対的に低いチャンネル優先順位を有し、制御情報を運搬するチャンネルに比べてデータを運搬するチャンネルが相対的に低いチャンネル優先順位を有することを特徴とする請求項２５記載の装置。
【請求項２７】
前記制御器は、
特定のスロットで、基地局から受信された送信電力制御（ＴＰＣ）命令に従って予測された総送信電力を獲得し、
予測された前記総送信電力が前記最大許容電力を超過しないようにする前記第２のチャンネルの第１の送信電力係数を求め、
前記特定のスロットに対して前記第１の送信電力係数を減少された前記送信電力係数として提供し、
測定された前記総送信電力を用いて、前記特定のスロットに後続する少なくとも１つの次のスロットに対して、あらかじめ決定された電力制御単位値だけ増加された総送信電力値と前記電力制御単位値だけ減少された総送信電力値とを求め、
増加された前記総送信電力値及び減少された前記総送信電力値がそれぞれ前記最大許容電力を超過しないようにする増加された前記総送信電力値及び減少された前記総送信電力値に対応する前記第２のチャンネルの第２の送信電力係数をそれぞれ求め、
前記少なくとも１つの次のスロットでＴＰＣ命令を受信し、受信された前記ＴＰＣ命令が増加（UP）を示すか、又は減少（DOWN）を示すかに従って、前記第２の送信電力係数のうちの１つを選択し、
前記少なくとも１つの次のスロットで選択された前記第２の送信電力係数を減少された前記送信電力係数として提供することを特徴とする請求項１５記載の装置。
【請求項２８】
前記送信電力係数は、
基地局から受信されたスケジューリング割当て情報に従って選択された伝送フォーマット（ＴＦ）に基づいて、それぞれ決定されることを特徴とする請求項１５記載の装置。
【発明の詳細な説明】
【技術分野】
【０００１】
本発明は、向上した上りリンクサービスを支援する移動通信システムに関し、特に、上りリンクチャンネルの特性を考慮したデータを送信する電力設定方法及び装置に関する。
【背景技術】
【０００２】
向上した上りリンク専用チャンネル（Enhanced-uplink Dedicated Channel；以下、‘Ｅ−ＤＣＨ’と称する）は、広帯域符号分割多重接続（Wideband Code Division Multiple Access；以下、‘ＷＣＤＭＡ’と称する）システムの上りリンクパケット伝送の性能を向上させるために提案された。Ｅ−ＤＣＨの導入に従って、適応変調符号化（Adaptive Modulation and Coding；ＡＭＣ）、複合自動再送信要求（Hybrid Automatic Retransmission Request；ＨＡＲＱ）、及び基地局制御スケジューリング（Node B controlled Scheduling）方式の上りリンクでの使用が論議されている。
【０００３】
図１は、Ｅ−ＤＣＨが使用される状況を示す基本概念図である。
図１を参照すると、基地局１００は、Ｅ−ＤＣＨを支援し、Ｅ−ＤＣＨを使用する端末機１０１、１０２、１０３、１０４のチャンネル状況を把握して、 経路１１１、１１２、１１３、１１４を経て各端末機に適合したスケジューリングを遂行する。すなわち、基地局１００は、システム全体の性能を高めるために、しきい雑音増加値（Threshold Noise Rise Value）以下の雑音増加値を保持しつつ、遠く離れた端末機１０４には、低いデータレート（data rate）を割り当て、近くにある端末機１０１には、高いデータレートを割り当てる。
【０００４】
図２は、Ｅ−ＤＣＨの基本的な送受信手順を示す。
図２を参照すると、ステップ２０３で、基地局２００及びＵＥ２０２は、Ｅ−ＤＣＨを設定する。上記Ｅ−ＤＣＨの設定は、専用送信チャンネル（dedicated transport Channel）を介してメッセージを伝達する手順を含む。
ステップ２０４で、ＵＥ２０２は、基地局２００にスケジューリング情報を通知する。上記スケジューリング情報は、上りリンクチャンネル情報を類推することができるＵＥの送信電力に関する情報になってもよく、又はＵＥがデータを送信することができる残りの電力に関する情報及びＵＥのバッファに貯蔵されている送信されるべきデータの量を含んでもよい。
【０００５】
ステップ２１１で、基地局２００は、各ＵＥから受信されたスケジューリング情報をモニタリングしながら、ＵＥ２０２を含む幾つかのＵＥに対してスケジューリングを遂行する。
基地局２００がＵＥ２０２に上りリンクパケット伝送の許容を決定した場合、ステップ２０５で、基地局２０１は、ＵＥ２０２にスケジューリング割当て情報を伝送する。ここで、上記スケジューリング割当て情報は、許容されたレート、許容タイミング、及び上りリンクデータレートに関する保持（KEEP）／アップ（UP）／ダウン（DOWN）を含んでもよい。
ステップ２１２で、ＵＥ２０２は、上記スケジューリング割当て情報を用いて上りリンクを介して伝送されるＥ−ＤＣＨの伝送フォーマット（Transport Format；以下、‘ＴＦ’と称する）を決定する。
【０００６】
ステップ２０６及びステップ２０７で、ＵＥ２０２は、上記決定されたＴＦに関連する情報であるＴＦＲＩ（Transport Format Resource Indicator）及びＥ−ＤＣＨデータを含む上りリンク（Uplink；ＵＬ）パケットデータを基地局２００へ伝送する。
ステップ２１３で、基地局２００は、上記ＴＦに関連する情報及びＥ−ＤＣＨデータにエラーがあるか否かを判断する。このとき、１つでもエラーがあれば、基地局２００は、否定認知（Negative Acknowledge；以下、ＮＡＣＫと称する）と判断し、エラーが存在しなければ、肯定認知（Positive Acknowledge；以下、ＡＣＫと称する）と判断する。
ステップ２０８で、基地局２００は、ステップ２１３で判断された結果に従って、上記ＡＣＫ及びＮＡＣＫチャンネルを介してＡＣＫ／ＮＡＣＫ情報をＵＥ２０２へ伝送する。このとき、ＵＥ２０２がＡＣＫを受信すると、新たなデータを伝送し、ＵＥ２０２がＮＡＣＫを受信すると、以前のデータを再伝送する。
【０００７】
図３は、ＷＣＤＭＡシステムにおけるＥ−ＤＣＨを介したデータ伝送の一例を示す。
図３に示すように、伝送される画像通話（video telephony）、マルチメディアメール伝送（uploading of multimedia mails）、及びゲーム（games）などを含むデータ３１６が発生すると、ＵＥ３１７は、物理チャンネル３１８に割り当てられたコード（code）を使用してデータ３１６を拡散した後に基地局３１９へ伝送する。
上記Ｅ−ＤＣＨは、符号多重化方式を使用して向上した専用物理データチャンネル（Enhanced Dedicated Physical Data Channel；以下、‘Ｅ−ＤＰＤＣＨ’と称する）を介してマッピングされて伝送される。上記Ｅ−ＤＰＤＣＨは、ＵＥの典型的な上りリンク送信チャンネルＤＣＨがマッピングされるＤＰＤＣＨ、上記ＤＰＤＣＨに関連した制御情報を運搬するＤＰＣＣＨ（Dedicated Physical Control Channel；以下、‘ＤＰＣＣＨ’と称する）、及び上記Ｅ−ＤＰＤＣＨに関連した制御情報を運搬するＥ−ＤＰＣＣＨ（以下、‘Ｅ−ＤＰＣＣＨ’と称する）と共存してもよい。ＵＥは、ＵＥに許容された最大送信電力に従って、上記物理チャンネルの送信電力をそれぞれ設定する。上記最大送信電力は、ＵＥの電力増幅器の伝送容量（capability）及びネットワークで設定する送信電力の最小値によって決定される。このとき、ＤＰＣＣＨを除いた残りの物理チャンネルの送信電力は、上記ＤＰＣＣＨに関連した電力比（power ratio）に従って決定される。
【０００８】
図４は、従来技術によるＵＥの物理階層送信側の構成を示すブロック図である。
図４を参照すると、ＵＥ３１７は、データチャンネルを介して伝送されるデータをコーディングブロック３０５を経てエンコーディングする。また、上記データチャンネルの受信に必要な制御情報が別途に生成される。ここで、上記データチャンネルは、ＤＰＤＣＨ又はＥ−ＤＰＤＣＨを意味し、制御チャンネルは、ＤＰＣＣＨ又はＥ−ＤＰＣＣＨを意味する。
上記制御情報及び上記エンコーディングされたデータは、それぞれ変調器３００、３０６によって変調される。上記変調された制御情報及びデータは、拡散器３０１、３０７でデータチャンネル及び制御チャンネルのチャンネル区分コード（Channelization code）であるＣｃ及びＣｄを使用してそれぞれ拡散された後に、利得調節器３０２、３０８へ伝送される。上記拡散した制御情報及びデータは、利得調節器３０２、３０８でデータチャンネル及び制御チャンネルに与えられた利得係数（gain factor）であるβc 、βdと乗じられた後に、多重化器３０３によって多重化される。 上記多重化されたデータは、スクランブラー３０４に入力されて専用物理チャンネル（Dedicated Physical Channel；ＤＰＣＨ）のスクランブリングコードＳｄｐｃｈ，ｎでスクランブリングされた後に、ＲＦ（Radio Frequency）部３０９を通してＲＦ信号に変換されてアンテナによって無線に伝送される。
【０００９】
上記利得係数は、電力制御されているＤＰＣＣＨを基準にして該当物理チャンネルの電力を設定するための値であって、各物理チャンネルのデータ大きさ及びサービス種類に従って設定される。伝送フォーマット（Transport Format；ＴＦ）を構成する要素のうちの１つである上記利得係数は、伝送フォーマット組合せ（Transport Format Combination；以下、ＴＦＣと称する）に従って設定される。上記利得係数は、送信チャンネルデータのフォーマットを決定する上位階層のＴＦＣ選択部によって決定されて物理階層へ伝送される。上記物理チャンネルは、上記利得係数に従って各物理チャンネルの送信電力を設定する。このとき、ＵＥは、最大許容電力（maximum allowed power）を超過しないように各物理チャンネルの利得係数を調節する。
【００１０】
従来のシステムで定義された送信チャンネルの以外にＥ−ＤＣＨをさらに使用しようとする場合に、上記ＴＦＣ選択を通して許容可能な電力レベル（level）を満足するＴＦＣのみを選択すると、総送信電力（total transmit power）が最大許容電力（maximum allowed power）を超過する場合にすべての物理チャンネルの利得係数は、同一な比率で調節（equally scaling）される。Ｅ−ＤＣＨの場合、ＨＡＲＱ技術を支援するが、ＨＡＲＱでは、再伝送を遂行する間にも、いつも最初伝送（initial transmission）と同一の伝送フォーマットを使用することによってのみ、受信側の復調が可能である。従って、ＴＦＣ選択部は、Ｅ−ＤＣＨデータを再伝送する場合に、許容可能なＴＦＣに関係なしに、最初伝送と同一のＴＦＣを常に選択する。一般に、再伝送する間の送信電力は、最初伝送時と同一のレベルに設定される。
【００１１】
場合によっては、Ｅ−ＤＣＨの最初伝送時には、ＤＣＨデータが存在せず、再伝送時に、ＤＣＨデータが発生する場合がある。また、Ｅ−ＤＣＨの伝送時間間隔（Transmission Time Interval；以下、ＴＴＩと称する）がＤＣＨの最小ＴＴＩよりも小さく設定されている場合に、ＤＣＨの固定されたＴＦ及び固定された送信電力の状況下で、Ｅ−ＤＣＨデータを再伝送しなければならない場合が発生することもある。上記のような状況では、ＵＥがＥ−ＤＣＨデータの再伝送に対して最初伝送と同一の電力を使用すると、総送信電力が最大許容電力を超過する結果が発生する可能性がある。電力比を保持しつつ、すべての物理チャンネルの電力を同一に減少させることによって、最大許容電力内ですべての物理チャンネルを伝送することができるが、各物理チャンネルの伝送品質を保証することはできない。
【００１２】
図５は、従来技術によるＥ−ＤＣＨデータを再伝送する間に発生する問題点の一例を示す図である。
図５に示すように、タイムスロットＴ１で、ＵＥは、Ｅ−ＤＰＤＣＨを介してＥ−ＤＣＨデータを最初に伝送する。上記タイムスロットＴ１で、ＤＣＨデータが存在しないので、総送信電力４０１は、最大許容電力（Ｐｍａｘ）４０７を超過しない。しかしながら、Ｅ−ＤＣＨの再伝送が発生するタイムスロットＴ２では、ＤＣＨデータがＤＰＤＣＨを介して伝送されるので、Ｅ−ＤＰＤＣＨ及びＤＰＤＣＨを含む総送信電力４０２が最大許容電力（Ｐｍａｘ）４０７を超過する。従って、参照符号４０５のように、Ｅ−ＤＰＤＣＨ、ＤＰＤＣＨ、及びＤＰＣＣＨの送信電力が同一な比率で調節される。従って、上記物理チャンネルの送信電力が調節された後、タイムスロットＴ３で、総送信電力４０４は、最大許容電力４０７を超過しない。
【００１３】
しかしながら、タイムスロットＴ３でのＥ−ＤＰＤＣＨ、ＤＰＤＣＨ及びＤＰＣＣＨは、タイムスロットＴ２に比べてすべて小さい電力を使用して送信されるので、受信側で上記物理チャンネルの品質がすべて低下する。特に、ＤＣＨ及びＥ−ＤＣＨの優先順位が異なる場合、上記すべての物理チャンネルを常に同一な比率で電力を調節すると、再伝送によって、ＤＣＨ又はＥ−ＤＣＨの伝送品質が低下することがある。例えば、ＤＣＨが優先順位が高い音声通話のために使用される場合であるとしても、優先順位が低いＥ−ＤＣＨデータの再伝送により１つのＴＴＩ内の一部のタイムスロットでＤＣＨデータが非常に低いレベルの電力で伝送されて音声通話の品質が劣化することがある。
従って、ＨＡＲＱを支援するＥ−ＤＣＨが存在する場合に、ＵＥの総送信電力が許容された最大送信電力を超過する時の各物理チャンネルの送信電力をさらに効率的に制御する技術が必要になってきている。
【発明の開示】
【発明が解決しようとする課題】
【００１４】
上記背景に鑑みて、本発明の目的は、上りリンクチャンネルを介してパケットサービスを支援する場合に、ＵＥの総送信電力が最大許容電力を超過する時、各物理チャンネルの送信電力を効率的に調節する方法及び装置を提供することにある。
本発明の他の目的は、Ｅ−ＤＣＨデータが再伝送される場合に、特定の送信チャンネルの電力を調節する方法及び装置を提供することにある。
本発明のまた他の目的は、送信状況及びチャンネルの優先順位に従って、Ｅ−ＤＣＨ及びＤＣＨの送信電力をそれぞれ異なって低減させる方法及び装置を提供することにある。
【課題を解決するための手段】
【００１５】
このような目的を達成するために、本発明の１つの特徴によれば、向上した上りリンクサービスを支援する移動通信システムにおいて、複合自動再送信要求（ＨＡＲＱ）を支援しない第１のチャンネル及びＨＡＲＱを支援する第２のチャンネルを伝送する方法は、上記チャンネルのための送信電力係数を決定し、上記チャンネルの伝送に必要な総送信電力が最大許容電力を超過するか否かを確認するステップと、上記総送信電力が上記最大許容電力を超過すると、上記第２のチャンネルのための送信電力係数を減少させるステップと、上記減少された送信電力係数及び上記第１のチャンネルのための送信電力係数を使用して上記第１及び第２のチャンネルを介してデータを伝送するステップとを含むことを特徴とする。
【００１６】
本発明の他の特徴によれば、向上した上りリンクサービスを支援する移動通信システムにおいて、複合自動再送信要求（ＨＡＲＱ）を支援しない第１のチャンネル及びＨＡＲＱを支援する第２のチャンネルを伝送する装置は、上記チャンネルのための送信電力係数を決定し、上記チャンネルの伝送に必要な総送信電力が最大許容電力を超過するか否かを確認して、上記総送信電力が上記最大許容電力を超過すると、上記第２のチャンネルのための送信電力係数を減少させる制御器と、上記第１のチャンネル及び上記第２のチャンネルデータのチャンネルコーディング及び変調を遂行して第１及び第２のデータフレームを生成する第１及び第２のチャンネル生成器と、上記減少された送信電力係数及び上記第２のチャンネルのための送信電力係数を用いて、上記第１及び第２のチャンネルのデータフレームを伝送するための上記第１及び第２のチャンネルの送信電力を減少させる利得調節器とを含むことを特徴とする。
【発明の効果】
【００１７】
本発明は、Ｅ−ＤＣＨを介してパケットサービスを遂行する間に、ＤＣＨを介して伝送されたデータが発生し、総送信電力が最大許容電力を超過する場合、優先順位が低いＥ−ＤＰＤＣＨの送信電力のみを減少させることによって、優先順位が高い他のチャンネルの送信品質を保証し、ＵＥの送信電力を効率的に使用することができるという効果がある。
【発明を実施するための最良の形態】
【００１８】
以下、本発明の好適な実施形態について添付図を参照しつつ詳細に説明する。下記説明において、本発明の要旨のみを明瞭するために公知の機能又は構成に対する詳細な説明は省略する。
下記に説明する本発明は、Ｅ−ＤＣＨを支援するＵＥの総送信電力がＵＥの最大許容電力を超過する場合に、Ｅ−ＤＣＨがマッピングされるＥ−ＤＰＤＣＨの送信電力を減少させることによって、残りの物理チャンネルの送信品質を保証する。
【００１９】
図６は、本発明の実施形態によるＵＥの送信電力を変更する一例を示す。
図６を参照すると、ＵＥは、タイムスロットＴ１で、Ｅ−ＤＰＤＣＨを介してＥ−ＤＣＨデータを最初に伝送する。上記タイムスロットＴ１で、ＤＣＨデータが存在しないので、総送信電力５０１は、最大許容電力（Ｐｍａｘ）５０７を超過しない。しかしながら、Ｅ−ＤＣＨデータの再伝送が発生するタイムスロットＴ２では、ＤＣＨデータがＤＰＤＣＨを介して伝送されるので、総送信電力５０２が最大許容電力５０７を超過する。このとき、参照番号５０５で示すように、Ｅ−ＤＰＤＣＨの送信電力のみを減少させる。このような結果として、上記Ｅ−ＤＰＤＣＨの送信電力が減少された後に、タイムスロットＴ３で、総送信電力５０４は、最大許容電力５０７を超過せず、他のチャンネル、すなわち、Ｅ−ＤＰＣＣＨ、ＤＰＤＣＨ、及びＤＰＣＣＨの電力レベルをタイムスロットＴ２と同一に保持させる。従って、Ｅ−ＤＣＨによってＤＣＨの電力レベルが減少される問題を避けることができ、上記ＤＣＨデータは、安定して送信されることができる。
【００２０】
Ｅ−ＤＣＨ及びＤＣＨの送信電力は、該当チャンネルがマッピングされる物理チャンネルに対してあらかじめ設定された送信電力係数を可変させることによって制御される。ＷＣＤＭＡシステムにおいて、上記送信電力係数は、各チャンネルの固有な利得係数（gain factor）を意味する。図６は、Ｅ−ＤＣＨの利得係数を調節してＤＣＨデータの伝送を優先的に保証する場合を示す。Ｅ−ＤＣＨがＤＣＨに対して優先順位が高い場合にも、上記ＤＣＨの送信電力を調節することができる。下記では、各チャンネルの利得係数を用いて送信電力が調節されるという仮定の下に説明される。以下、本発明の多様な実施形態について説明する。
【００２１】
第１の実施形態
本発明の第１の実施形態では、ＵＥの上位階層で総送信電力が最大許容電力を超過しないように、特定のチャンネル、すなわち、Ｅ−ＤＰＤＣＨの利得係数をさらに計算して総送信電力を調節する。本発明の第１の実施形態によると、Ｅ−ＤＣＨデータ及びＤＣＨデータがすべて存在する場合、ＵＥは、Ｅ−ＤＣＨデータが再伝送されるか否かをチェックする。上記チェックの結果がＥ−ＤＣＨデータの再伝送を示す場合には、Ｅ−ＤＣＨがマッピングされるＥ−ＤＰＤＣＨの利得係数を該当送信時点で再設定する。
【００２２】
図７は、本発明の第１の実施形態によるＵＥの物理階層の送信電力を設定する手順を示す。
図７を参照すると、ステップ６０１で、ＵＥは、各チャンネルの利得係数を含むＥ−ＤＰＤＣＨ／ＤＰＤＣＨ／ＤＰＣＣＨデータの送信要求を感知する。ステップ６０２で、上記送信要求を感知したＵＥは、伝送されなければならないチャンネルの利得係数を用いて総送信電力Ｐｔｘを推定する。すなわち、ＵＥは、タイムスロットごとに電力状態を確認するために、ＵＥの送信電力を測定する。ＵＥは、上記測定された送信電力を基に、そして、次の送信に必要な所定の利得係数を用いて伝送されるチャンネルの総送信電力Ｐｔｘを推定する。
【００２３】
ステップ６０２で、ＵＥは、上記総送信電力Ｐｔｘが最大許容電力Ｐｍａｘを超過するか否かを検査する。上記総送信電力が上記最大許容電力を超過しない場合には、ＵＥは、ステップ６０６に進行して、上記利得係数を使用してそれぞれの該当チャンネルを介して上記データを伝送する。
上記総送信電力が上記最大許容電力を超過する場合に、ステップ６０３で、ＵＥは、Ｅ−ＤＰＤＣＨを介して伝送されるＥ−ＤＣＨデータが最初伝送データであるか又は再伝送データであるかを判断する。上記判断の結果、Ｅ−ＤＣＨデータが最初伝送であると、ステップ６０４で、ＵＥは、チャンネル間の電力比を一定に保持しつつ、すべてのチャンネルの電力を同一なレベルに調節する。他の実施形態において、ＵＥは、ＤＣＨデータ又はＥ−ＤＣＨデータの優先順位に従って、優先順位が低いチャンネルのデータ伝送を延期し、他のチャンネルに対する利得係数を従来の方式にて選択するか、又は優先順位が高いチャンネルの送信電力をまず設定し、上記総送信電力が上記最大許容電力を超過しないように、他のチャンネルに対する電力を設定する。
【００２４】
上記判断の結果、Ｅ−ＤＣＨデータが再伝送される場合には、ステップ６０５で、ＵＥは、上記総送信電力が上記最大許容電力を超過しないように、Ｅ−ＤＰＤＣＨの利得係数をさらに求めてＥ−ＤＰＤＣＨの電力のみを調節する。下記では、上記利得係数を求める方法について詳細に説明する。ステップ６０４又はステップ６０５を終了した後、ＵＥは、ステップ６０６に進行して、上記Ｅ−ＤＰＤＣＨの利得係数と他のチャンネルの利得係数とを用いて、上記チャンネルを介して該当データを送信する。
【００２５】
図７において、上記総送信電力が上記最大許容電力を超過するか否かを判断する手順（ステップ６０２）がＥ−ＤＣＨデータが最初送信データであるか再伝送データであるかを判断する手順に先立つと説明されていても、ステップ６０２及びステップ６０３の順序は、換ってもよい。
上記総送信電力が上記最大許容電力を超過する場合には、１つのＴＴＩの間にのみ発生するので、ＵＥは、ＴＴＩ別に図７に示す手順を遂行する。実際に伝送する間に、上記総送信電力が電力制御に基づいて送信電力が継続して増加し、最大許容電力を超過する場合には、電力比を保持しつつ、従来の方法にて、すべてのチャンネルの電力を同一の比率で調節する。
【００２６】
上記総送信電力が上記最大許容電力を超過しないようにするＥ−ＤＰＤＣＨの利得係数は、下記式(1)から求めることができる。これは、上記最大許容電力を超過しない範囲内で、上記Ｅ−ＤＣＨの再送信電力を以前の送信電力で一定の比率だけ減少させることを意味する。
【００２７】
【数１】
2006014304.tif 000003
【００２８】
ここで、βｅ,ｏｒｉ 、βｃ、及びβｄは、ＴＦＣ選択部によって決定されたＥ−ＤＰＤＣＨ／ＤＰＣＣＨ／ＤＰＤＣＨの利得係数を示し、βｅは、上記総送信電力が上記最大許容電力を超えないようにするＥ−ＤＰＤＣＨの新たな利得係数を示し、Ｐｔｘ,ｏｒｉは、βｅ,ｏｒｉ 、βｃ、及びβｄを用いて予測される総送信電力を示し、添え字‘ｏｒｉ’は、調節される以前の値であるβｅ,ｏｒｉが上記推定に適用されたことを示し、Ｐｍａｘは、ＵＥに許容された最大送信電力（すなわち、最大許容電力）を示し、ｓｑｒｔは、平方根を示す。
【００２９】
上記式(1)は、総送信電力が最大許容電力を超過する場合に、ＤＰＤＣＨ及びＤＰＣＣＨの送信電力は一定に保持されつつ、Ｅ−ＤＰＤＣＨの電力を低減させるためのＥ−ＤＰＤＣＨの新たな利得係数βｅを求める式である。式(1)で求められたβｅは、βｅ,ｏｒｉよりも小さくなる。すなわち、ＵＥは、最大許容電力を超過しない総送信電力内でＥ−ＤＰＤＣＨを伝送することができる。式(1)によって計算されたβｅが虚数値であれば、上記Ｅ−ＤＰＤＣＨの送信電力は、０と見なされる。一方、式１によって計算されたβｅがあらかじめ設定された最小値よりも小さいと、ＵＥは、現在の区間でＥ−ＤＣＨデータの再伝送を遂行せず、次の区間でＥ−ＤＣＨデータの再伝送を試みることができる。
【００３０】
Ｅ−ＤＰＤＣＨが存在する場合にのみＥ−ＤＰＣＣＨを伝送する環境では、Ｅ−ＤＰＤＣＨが再伝送されないと、Ｅ−ＤＰＣＣＨを伝送しないことが可能である。また、基地局スケジューラーの受信機の構成上、Ｅ−ＤＰＤＣＨの電力比が調節されたことを示す情報が必要な場合には、ＵＥは、物理階層シグナリングによって上記Ｅ−ＤＰＤＣＨの電力比が調節されたことを知らせる情報を基地局にシグナリングすることができる。
Ｅ−ＤＣＨをサービスする環境で、Ｅ−ＤＣＨの送信電力は、ＴＦに従って設定されるＥ−ＤＰＤＣＨの利得係数を通して調節される。また、必要に応じて、上記利得係数を通して調節された送信電力を付加的に調節することができる。一例に、サービスしようとするＥ−ＤＣＨの送信電力は、要求されるＱｏＳ（Quality of Service）に従って制御される。ここで、上記送信電力が増加された場合、上記送信電力の増加を示す１つのビットがＥ−ＤＣＨ制御情報に含まれて基地局にシグナリングされる。他の例に、伝送されるＥ−ＤＣＨデータの量がＥ−ＤＣＨを介して伝送される場合、ＵＥは、Ｅ−ＤＣＨの送信電力を増加させる。このとき、上記送信電力の増加を知らせるための１つのビットがＥ−ＤＣＨ制御情報に含まれてＥ−ＤＰＣＣＨを介して基地局にシグナリングされる。
【００３１】
以下、物理階層でＥ−ＤＰＤＣＨの送信電力が調節されたことを示す情報をシグナリングする方法について説明する。
上記Ｅ−ＤＰＤＣＨの送信電力が調節されたことを示す１ビットのインジケータ（indicator）がＥ−ＤＰＤＣＨに割り当てられる。下記表１は、１ビットのインジケータを含む制御情報の種類及びそれぞれの制御情報に従うビット構成を示す。
【００３２】
【表１】
2006014304.tif 000004
【００３３】
ＴＦＩ（TF Index）は、該当ＴＴＩに伝送されるＥ−ＤＣＨの伝送フォーマット（ＴＦ）を知らせるインデックスであり、‘Power de-boosting indicator’は、本発明の第１の実施形態によって、Ｅ−ＤＣＨの送信電力を減少させたことを示す識別子である。‘Power boosting indicator’は、ＱｏＳを考慮してＥ−ＤＣＨの送信電力を増加させたことを示す識別子であり、‘MAC-e signaling indicator’は、バッファ状態（buffer status）情報を伝送するために、Ｅ−ＤＣＨの送信電力を増加させたことを示す識別子である。ＮＤＩ（New Data Indicator）は、ＨＡＲＱ情報として最初伝送パケットを知らせるための識別子である。このように、Ｅ−ＤＰＣＣＨは、制御情報に従って区別されたビットを割り当てられて使用する。
【００３４】
ここで、‘Power de-boosting indicator’、‘power boosting indicator’、及び‘MAC-e signaling indicator’は、送信電力の増加／減少及び／又は正常伝送と直接的な連関性を有するので、下記表２に示すような制御情報の他の実施形態では、２−ビットのインジケータを使用する。
【００３５】
【表２】
2006014304.tif 000005
【００３６】
表２は、２ビットの電力インジケータ（power indicator）を用いてＥ−ＤＣＨの電力調節を知らせる物理階層シグナリング情報を構成する形態を示す。このとき、上記電力インジケータは、下記表３に示すような内容を示す。
【００３７】
【表３】
2006014304.tif 000006
【００３８】
表３において、‘MAC-e signaling’が一般にＥ−ＤＣＨの送信電力の増加を意味するので、他の実施形態で、上記‘Power indicator’は、下記表４に示すような内容を示す。
【００３９】
【表４】
2006014304.tif 000007
【００４０】
以下、図８を参照して、本発明の第１の実施形態を実現するためのＵＥの送信装置について説明する。
図８を参照すると、ＵＥは、上りリンクチャンネルとして、ＤＰＣＣＨ、ＤＰＤＣＨ、Ｅ−ＤＰＣＣＨ、及びＥ−ＤＰＤＣＨを使用する。ＴＦＣ選択器７０１は、上記チャンネルのデータレート及び伝送品質という観点で、要求条件に合わせて該当する利得係数を設定する。ＨＡＲＱ制御器７２６は、Ｅ−ＤＣＨのチャンネル特性に合うようにエンコーディングされたデータのレートマッチングのための情報をＨＡＲＱバッファを含むレートマッチング器７１０へ伝送し、最初伝送及び再伝送の時に利得係数の設定のためのＨＡＲＱ情報７０２を物理チャンネル送信制御器７０６へ伝送する。
【００４１】
物理チャンネル送信制御器７０６は、物理チャンネルの送信に必要なパラメータを設定する。具体的に、物理チャンネル送信制御器７０６は、ＨＡＲＱ制御器７２６から受信された最初伝送及び再伝送を示す情報７０２、電力パラメータＰｍａｘ、Ｐｔｘ,ｏｒｉ７０４、及びＴＦＣ選択器７０１から受信された利得係数βｅ,ｏｒｉ 、βｃ、βｄ７０５をもってＥ−ＤＣＨの新たな利得係数βeを図６に示す手順に従って再設定する。
ＤＣＨ、すなわち、ＤＰＤＣＨに関する制御情報が受信されると、ＤＰＣＣＨ生成器７１９は、上記制御情報をＤＰＣＣＨフレームに生成し、コーディングブロック７２０は、上記ＤＰＣＣＨフレームをエンコーディングする。上記エンコーディングされたデータは、変調器７２１によって変調され、拡散器７０８によってＤＰＣＣＨのチャンネル区分コードＣｃで拡散され、利得調節器７２２でＤＰＣＣＨの利得係数βc と乗じられた後に、多重化器７２３へ伝送される。
【００４２】
ＤＣＨ及びＥ−ＤＣＨを介して伝送されるデータが受信されると、Ｅ−ＤＰＤＣＨ生成器７０３及びＤＰＤＣＨ生成器７１４は、上記データをＴＦＣ選択器７０１で該当チャンネルの伝送フォーマット別に選択されたＴＦＣ情報に従ってＤＣＨフレーム及びＥ−ＤＣＨフレームに生成し、コーディングブロック７０９、７１５は、上記ＤＣＨフレーム及びＥ−ＤＣＨフレームをそれぞれエンコーディングする。上記コーディングブロック７１５でエンコーディングされたＤＰＤＣＨデータは、変調器７１６によって変調され、拡散器７１７によってＤＰＤＣＨのチャンネル区分コードＣｄで拡散され、利得調節器７１８でＤＰＤＣＨの利得係数βｄ と乗じられた後に、多重化器７２３へ伝送される。
【００４３】
Ｅ−ＤＰＤＣＨ生成器７０３で生成されたＥ−ＤＰＤＣＨフレームもコーディングブロック７０９でエンコーディングされた後に、レートマッチング器７１０へ伝送される。レートマッチング器７１０は、ＨＡＲＱ制御器７２６の制御下に、上記エンコーディングされたＥ−ＤＰＤＣＨデータのレートマッチング（Rate matching）を遂行する。上記レートマッチングされたデータは、変調器７１１によって変調され、拡散器７１２によってＥ−ＤＰＤＣＨのチャンネル区分コードＣｅで拡散され、利得調節器７１３で物理チャンネル送信制御器７０６によって再設定されたＤＰＣＣＨの利得係数βｅと乗じられた後に、多重化器７２３へ伝送される。
【００４４】
また、上記Ｅ−ＤＰＤＣＨに対して選択されたＴＦＣ情報を含む上記Ｅ−ＤＣＨに関する制御情報（すなわち、Ｅ−ＤＰＤＣＨに関する制御情報）が受信されると、Ｅ−ＤＰＣＣＨ生成器７３１は、上記Ｅ−ＤＣＨに関する制御情報を含むＥ−ＤＰＣＣＨフレームを生成する。上記Ｅ−ＤＰＣＣＨフレームは、コーディングブロック７２７でエンコーディングされ、変調器７２８によって変調され、拡散器７２９でＥ−ＤＰＣＣＨのチャンネル区分コードＣｅｃで拡散され、利得調節器７３０でＥ−ＤＰＣＣＨの利得係数βｅｃと乗じられた後に、多重化器７２３へ伝送される。
利得調節器７２２、７１８、７１３、７３０からのデータは、多重化器７２３で多重化され、スクランブラー７２４に入力されてスクランブリングコードＳｄｐｃｈ,ｎでスクランブリングされた後に、ＲＦユニット７２５によってＲＦ変換されて伝送される。
【００４５】
第２の実施形態
本発明の第２の実施形態では、Ｅ−ＤＣＨデータが再伝送される場合に、総送信電力が最大許容電力を超過すると、Ｅ−ＤＣＨの利得係数をあらかじめ設定された利得オフセット（offset）だけ減少させて総送信電力を調節する。
本発明の第２の実施形態では、上記総送信電力が上記最大許容電力を超過する場合に、下記式(2)によってＥ−ＤＰＤＣＨの新たな利得係数を計算する。
【００４６】
【数２】
2006014304.tif 000008
【００４７】
ここで、Δoffsetは、上位階層のシグナリングを通して設定されることができる上記利得オフセットを示す。
【００４８】
図９は、本発明の第２の実施形態によるＵＥの物理階層の送信電力を設定する手順を示す。
図９を参照すると、ステップ６２１で、ＵＥは、それぞれのチャンネルの利得係数を構成するＥ−ＤＰＤＣＨ／ＤＰＤＣＨ／ＤＰＣＣＨデータの送信要求を感知する。ステップ６２２で、上記送信要求を感知したＵＥは、上記伝送されたチャンネルの利得係数を用いて総送信電力Ｐｔｘを推定する。すなわち、ＵＥは、スロットごとに電力状態を確認するために、ＵＥの送信電力を測定する。ＵＥは、上記測定された送信電力に基づいて、そして、次の伝送に必要な所定の利得係数を用いて、伝送されるチャンネルの総送信電力Ｐｔｘを推定する。
ステップ６２２で、ＵＥは、上記総送信電力Ｐｔｘがあらかじめ設定された最大許容電力Ｐｍａｘを超過するか否かを検査する。上記総送信電力が上記最大許容電力を超過しないと、ＵＥは、ステップ６２６に進行して、上記利得係数を使用して各該当チャンネルを介して上記データを伝送する。
【００４９】
上記総送信電力が上記最大許容電力を超過する場合に、ステップ６２３で、ＵＥは、Ｅ−ＤＰＤＣＨを介して伝送されるＥ−ＤＣＨデータが最初伝送データであるか再伝送データであるかを判断する。上記判断の結果、上記Ｅ−ＤＣＨデータが最初伝送である場合、ステップ６２４で、ＵＥは、チャンネル間の電力比を一定に保持しつつ、すべてのチャンネルの電力を同一なレベルに調節する。他の実施形態において、ＵＥは、ＤＣＨデータ及びＥ−ＤＣＨデータの優先順位に従って、優先順位が低いチャンネルのデータ伝送を延期し、他のチャンネルに対する利得係数を従来の方式にて選択するか、又は優先順位が高いチャンネルの送信電力をまず設定し、上記総送信電力が上記最大許容電力を超過しないように、他のチャンネルに対する電力を設定する。
【００５０】
上記判断の結果、Ｅ−ＤＣＨデータが再伝送される場合には、ステップ６２５で、ＵＥは、Ｅ−ＤＰＤＣＨの利得係数をさらに求めてＥ−ＤＰＤＣＨの電力のみを調節する。このとき、上記利得係数は、式(2)に示したようなあらかじめ設定された利得オフセットだけ減少される。ステップ６２４又はステップ６２５の終了後に、ＵＥは、ステップ６２６に進行して、上記Ｅ−ＤＰＤＣＨの利得係数及び他のチャンネルの利得係数を用いたチャンネルを介して該当データを伝送する。
【００５１】
第２の実施形態によるＵＥの送信装置は、図８と同一であるので、下記では、図８を参照して第２の実施形態を説明する。ここで、送信装置の物理チャンネル送信制御器７０６、ＨＡＲＱ制御器７２６、及びレートマッチング器７１０を除いた残りの構成は、図８の構成と同一であるので、全般的な送信装置の詳細な説明を省略する。
物理チャンネル送信制御器７０６は、Ｅ−ＤＰＤＣＨの利得係数を再設定する機能を担当し、物理チャンネルの送信に必要なパラメータを設定する。具体的に、上記総送信電力Ｐｔｘ,ｏｒｉが上記最大許容電力Ｐｍａｘを超過する場合に、物理チャンネル送信制御器７０６は、ＨＡＲＱ制御器７２６から受信された最初伝送及び再伝送を示す情報７０２、電力パラメータＰｍａｘ、Ｐｔｘ,ｏｒｉ７０４、及びＴＦＣ選択器７０１から受信された利得係数βｅ,ｏｒｉ 、βｃ、βｄ７０５をもって新たな利得係数βeを図７に示す手順に従って求める。
【００５２】
上記Ｅ−ＤＰＤＣＨの利得係数を調節した後にも、上記総送信電力が上記最大許容電力を超過する場合には、チャンネル間の電力比を一定に保持しつつ他のチャンネルの送信電力を減少させる。また、基地局スケジューラーの受信器の構成上、Ｅ−ＤＰＤＣＨの電力比が調節されたことを示す情報が必要な場合には、ＵＥは、物理階層シグナリングによって上記Ｅ−ＤＰＤＣＨの電力比が調節されたことを知らせる情報を基地局にシグナリングすることができる。このような場合、Ｅ−ＤＰＤＣＨの送信電力が調節されたことを知らせる物理階層シグナリングは、本発明の第１の実施形態で説明したような１ビットの識別子又は２ビットの識別子を使用して遂行されてもよい。
【００５３】
第３の実施形態
本発明の第３の実施形態では、ＵＥは、再伝送を考慮して総送信電力が最大許容電力を超過しないようにするＥ−ＤＰＤＣＨの利得係数を選択することによって、全体チャンネルの電力を調節する。本発明の第３の実施形態では、最初伝送とは異なってＥ−ＤＣＨの再伝送時点でＤＣＨが発生する場合、ＴＦＣを選択する手順に利得係数を初期設定とは異なる方式にて選択する。
特に、ＵＥは、伝送される複数のチャンネルに対してスロット単位に送信電力をチェックしてチャンネルの優先順位に従って段階的に特定のチャンネルの送信電力を低減させる。上記優先順位は、該当チャンネルが再伝送が保証されるチャンネルであるか、又は制御チャンネルであるかに従って決定されることができる。
【００５４】
まず、本実施形態の理解を助けるために、伝送環境を説明する。本実施形態に従う伝送環境では、ＤＣＨ及びＥ−ＤＣＨがそれぞれ１つずつ同時に設定され、各チャンネルの可能な伝送フォーマット組合せ（ＴＦＣ）は、下記表５及び表６に示すように設定される。ＤＣＨが１つであるので、上記ＴＦＣは、実際に、各ＴＦを構成するＴＦセット（TF set；ＴＦＳ）を含み、Ｅ−ＤＣＨのＴＦは、表６でＥ−ＴＦで表される。表５及び表６に示すように、ＴＦは、インデックス値が大きいほど、さらに多いデータを伝送することができる。表５及び表６は、ＤＣＨ及びＥ−ＤＣＨが相互に異なる物理チャンネルを介してマッピングされて伝送される場合を示す。ＤＣＨ及びＥ−ＤＣＨが同一の物理チャンネルを介してマッピングされて伝送される場合には、各ＴＦＣに従って利得係数が設定される。
【００５５】
本実施形態では、本発明の簡潔さのために、Ｅ−ＤＣＨに必要なスケジューリング動作に関する詳細な説明は省略し、Ｅ−ＤＣＨの伝送が可能であるようにリソースが割り当てられると仮定する。
ＤＣＨ及びＥ−ＤＣＨが相互に異なる物理チャンネルにマッピングされる場合に、ＵＥが使用可能な総送信電力は、すべての物理チャンネルの送信電力の和になるので、ＵＥは、上記物理チャンネルの送信電力を考慮して伝送可能なＴＦＣを設定する。
【００５６】
【表５】
2006014304.tif 000009
【００５７】
【表６】
2006014304.tif 000010
【００５８】
一方、再伝送されるＥ−ＤＣＨデータが存在すると、ＵＥは、最初伝送時のＥ−ＴＦと同一のＥ−ＴＦを設定する。これは、再伝送時点でＤＣＨがＥ−ＤＣＨよりもさらに高い優先順位を有するので、最初伝送時と同一のＥ−ＴＦを選択することができない場合が発生することがあるからである。このような場合は、チャンネル状況又はスケジューリングによっても発生することがある。
【００５９】
具体的に説明すると、下記の通りである。
ＵＥは、最初伝送のＥ−ＴＦを再伝送のＥ−ＴＦと比較する。最初伝送のＥ−ＴＦインデックスが再伝送のＥ−ＴＦインデックスよりも小さいか又は同一であれば、ＵＥは、最初伝送のＥ−ＴＦを十分に支援することができると判断し、最初伝送のＥ−ＴＦ及びそれに対応する利得係数を選択する。しかしながら、最初伝送のＥ−ＴＦインデックスが再伝送のＥ−ＴＦインデックスよりも大きい場合に、ＵＥは、最初伝送のＥ−ＴＦと同一のＥ−ＴＦを選択し、再伝送のために調節された新たな利得係数を選択する。表６に従う利得係数を設定する例を表７に示す。
【００６０】
【表７】
2006014304.tif 000011
【００６１】
表６及び表７を参照すると、最初伝送時にＥ−ＴＦ＝２が選択されると、ＵＥは、（２ｘ３００）ビットのデータを利得係数＝ｂｅｔａ６を用いて伝送する。再伝送時点で、ＤＣＨデータが存在してＥ−ＤＣＨを介してＵＥが伝送可能なデータ量がＥ−ＴＦ＝１に制限されると、ＵＥは、許容可能なＴＦＣのうちＤＣＨのためのＴＦＣを選択し、残りの電力を用いて伝送可能なＥ−ＤＣＨのＥ−ＴＦを選択する手順を通して、Ｅ−ＴＦ＝１、利得係数＝ｂｅｔａ５を選択する。上記最初伝送のＥ−ＴＦ＝２が上記再伝送のＥ−ＴＦ＝１よりも大きいので、再伝送時にＥ−ＤＣＨに対してＥ−ＴＦ＿ｎｅｗ＝２、利得係数＝ｂｅｔａ５が選択される。
【００６２】
以下、図１０を参照して、本発明の第３の実施形態に従って上述したチャンネル設定でＴＦＣを選択する過程について説明する。本実施形態では、ＤＣＨ及びＥ−ＤＣＨのＴＴＩが同一であって、同一の時点で常にＴＦＣ選択を遂行することができると仮定する。ＤＣＨ及びＥ−ＤＣＨのＴＦＣ選択を遂行する時点が相互に異なるか、又は両チャンネルのＴＴＩが相互に異なるので、同一の時点でＴＦＣ選択を遂行することができない場合に、まず、優先順位が高いチャンネルのＴＦＣ選択を遂行し、残りの電力を用いて他のチャンネルのＴＦＣ選択過程を遂行する。
【００６３】
図１０は、本発明の第３の実施形態によるＴＦＣを選択する過程を示す。
図１０を参照すると、ステップ８０２で、ＵＥは、ＤＣＨデータ及びＥ−ＤＣＨデータが存在するか否かを検査する。
上記検査の結果、ＤＣＨデータのみが存在する場合、ステップ８０４で、ＵＥは、通常のＴＦＣ選択過程を通して許容可能なＴＦＣのうち、ＤＣＨのためのＴＦＣを選択する。Ｅ−ＤＣＨデータのみが存在する場合、ステップ８０３で、ＵＥは、伝送可能なデータ伝送率内でＥ−ＤＣＨのＥ−ＴＦを選択する。
上記検査の結果、Ｅ−ＤＣＨデータ及びＤＣＨデータがすべて存在する場合に、ステップ８０５で、ＵＥは、上記Ｅ−ＤＣＨの優先順位（Priority of E-DCH；Ｐ＿ＥＤＣＨ）をＤＣＨの優先順位（Ｐ＿ＤＣＨ）と比較する。
【００６４】
上記比較の結果、ＤＣＨの優先順位（Ｐ＿ＤＣＨ）がＥ−ＤＣＨの優先順位よりも高い場合、ステップ８０６で、ＵＥは、まず、許容可能なＴＦＣのうち、ＤＣＨデータの伝送に必要なＴＦＣを選択し、ステップ８０８に進行して、上記ＤＣＨに対して選択されたＴＦＣに割り当てられた電力を除外し、残りの電力内でＥ−ＤＣＨを介してデータを伝送するためのＥ−ＴＦを選択した後に、ステップ８１０へ進行する。
一方、上記比較の結果、Ｅ−ＤＣＨの優先順位（Ｐ＿ＥＤＣＨ）がＤＣＨの優先順位（Ｐ＿ＤＣＨ）よりも高い場合、ステップ８０７で、ＵＥは、まず、許容可能なＥ−ＴＦのうち、Ｅ−ＤＣＨのＥ−ＴＦを選択し、ステップ８０９に進行して、上記Ｅ−ＤＣＨに対して選択されたＥ−ＴＦに割り当てられた電力を除外し、残りの電力内でＤＣＨデータの伝送のためのＴＦＣを選択した後に、ステップ８１０へ進行する。他の実施形態において、上記Ｅ−ＤＣＨデータ及びＤＣＨデータがすべて存在する場合に、ＵＥは、２つのチャンネルの優先順位に従って、１つのチャンネルの伝送を延期し、従来の方式にて他のチャンネルに対するＴＦを選択した後に、ステップ８１５に進行する。
【００６５】
ステップ８１０で、ＵＥは、Ｅ−ＤＣＨデータが初期に伝送されるか、または再伝送されるかを判断する。上記判断の結果、上記Ｅ−ＤＣＨデータが最初に伝送される場合に、ステップ８１５で、ＵＥは、上記選択されたＥ−ＴＦを介してＥ−ＤＣＨデータを伝送する。一方、上記判断の結果、上記Ｅ−ＤＣＨデータが再伝送される場合に、ＵＥは、ステップ８１１に進行して、最初伝送時に選択されたＥ−ＴＦ（ＴＦ＿ｉｎｉｔｉａｌ）をステップ８０３、８０７、又は８０８で選択されたＥ−ＴＦ（すなわち、ＴＦ＿ｒｅ）と比較する。
【００６６】
ステップ８１２で、上記最初伝送Ｅ−ＴＦ（ＴＦ＿ｉｎｉｔｉａｌ）のインデックスが上記再伝送Ｅ−ＴＦ（ＴＦ_ｒｅ）のインデックスよりも小さいかまたは同一である場合に、ステップ８１３で、ＵＥは、最初伝送Ｅ−ＴＦ（ＴＦ＿ｉｎｉｔｉａｌ）及びそれに該当する利得係数（ｇａｉｎ ｆａｃｔｏｒ（ＴＦ＿ｉｎｉｔｉａｌ））を選択する。一方、上記比較の結果、上記最初伝送Ｅ−ＴＦ（ＴＦ＿ｉｎｉｔｉａｌ）のインデックスが上記再伝送Ｅ−ＴＦ（ＴＦ_ｒｅ）のインデックスよりも大きい場合に、ステップ８１４で、ＵＥは、上記最初伝送Ｅ−ＴＦを新たなＴＦ（ＴＦ＿ｎｅｗ）として選択し、再伝送Ｅ−ＴＦの利得係数（ｇａｉｎ ｆａｃｔｏｒ（ＴＦ＿ｒｅ））を新たな利得係数として選択する。この後、ステップ８１５で、ＵＥは、ステップ８０２〜８１４でそれぞれ選択されたＥ−ＴＦ、ＴＦＣ、及び利得係数を用いてＤＣＨデータ及びＥ−ＤＣＨデータを伝送する。
【００６７】
図１１は、本発明の第３の実施形態によるＵＥの送信装置を示す。ここで、ＵＥは、上りリンクチャンネルとしてＤＰＣＣＨ、ＤＰＤＣＨ、Ｅ−ＤＰＤＣＨ、及びＥ−ＤＰＣＣＨを使用する。しかしながら、説明の便宜のために、Ｅ−ＤＰＣＣＨに関連する構成は省略した。
図１１を参照すると、ＴＦＣ選択器９０１は、上記チャンネルの伝送フォーマット（ＴＦ）を決定する。ＴＦＣ選択器９０１は、予測された総送信電力Ｐｔｘ情報９０２及び最大許容電力Ｐｍａｘ情報９０３の入力を受け、ＨＡＲＱ制御器９１３から最初伝送／再伝送を示すＨＡＲＱ情報９０４を受信する。ＴＦＣ選択器９０１は、図１０に示す手順を遂行して、ＴＦＣ、Ｅ−ＴＦ、及び利得係数を決定し、上記決定されたＴＦＣ、Ｅ−ＴＦ、及び利得係数に関する情報９０５を物理チャンネル送信制御器９０６へ伝送する。物理チャンネル送信制御器９０６は、利得係数９０７を該当チャンネルに相当する利得調節器９２６、９２１、９１６に設定する。
【００６８】
ＤＣＨ、すなわち、ＤＰＤＣＨに関する制御情報９０８が受信されると、ＤＰＣＣＨ生成器９２２は、制御情報９０８をＤＰＣＣＨフレームに生成し、コーディングブロック９２３は、上記ＤＰＣＣＨフレームをエンコーディングする。上記エンコーディングされたデータは、変調器９２４によって変調され、拡散器９２５によってＤＰＣＣＨのチャンネル区分コードＣｃで拡散され、利得調節器９２６でＤＰＣＣＨの利得係数βｃと乗じられた後に、多重化器９２７へ伝送される。
【００６９】
ＤＣＨ及びＥ−ＤＣＨを介して伝送されるデータ９０９が受信されると、Ｅ−ＤＰＤＣＨ生成器９１０及びＤＰＤＣＨ生成器９１７は、データ９０９をＴＦＣ選択器９０１で伝送フォーマット別に選択されたＴＦＣ情報に従ってＤＰＤＣＨフレーム及びＥ−ＤＰＤＣＨフレームに生成し、コーディングブロック９１８、９１１は、上記ＤＰＤＣＨフレーム及びＥ−ＤＰＤＣＨフレームをそれぞれエンコーディングする。上記コーディングブロック９１８でエンコーディングされたＤＰＤＣＨデータは、変調器９１９によって変調され、拡散器９２０へ伝送されてＤＰＤＣＨのチャンネル区分コードＣｄで拡散され、利得調節器９２１でＤＰＤＣＨの利得係数βｄと乗じられた後に、多重化器９２７へ伝送される。
【００７０】
コーディングブロック９１１でエンコーディングされたＥ−ＤＰＤＣＨデータは、レートマッチング器９１２へ伝送される。レートマッチング器９１２は、ＨＡＲＱ制御器９１３の制御下に、上記エンコーディングされたＥ−ＤＰＤＣＨデータのレートマッチング（Rate matching）を遂行する。上記レートマッチングされたデータは、変調器９１４によって変調され、拡散器９１５でＥ−ＤＰＤＣＨのチャンネル区分コードＣｅで拡散され、利得調節器９１６で物理チャンネル送信制御器９０６により設定されたＥ−ＤＰＤＣＨの利得係数βｅと乗じられた後に、多重化器９２７へ伝送される。
利得調節器９２６、９２１、９１６からのデータは、多重化器９２７で多重化され、スクランブラー９２８に入力されてスクランブリングコードＳｄｐｃｈ,ｎでスクランブリングされた後に、ＲＦユニット９２９を通してＲＦ変換されて伝送される。
【００７１】
第４の実施形態
本発明の第４の実施形態では、ＵＥの総送信電力が最大許容電力を超過する場合、Ｅ−ＤＰＤＣＨの送信電力を優先的に減少させる。第４の実施形態によれば、上記総送信電力が上記最大許容電力を超過しないように、Ｅ−ＤＣＨの利得係数を再計算する動作を電力制御単位であるスロット別に遂行して、Ｅ−ＤＣＨの最初伝送又は再伝送に関係なしに、上記総送信電力が上記最大許容送信電力を超過する場合にもＥ−ＤＣＨの利得係数を再設定する。これは、ＵＥの総送信電力が基地局からスロットごとに受信される送信電力制御（Transmit Power Control；ＴＰＣ）命令により制御されるからである。具体的に、上記ＴＰＣ命令は、ＤＰＣＣＨの電力調整（Power adjustment）に適用される。ＤＰＣＣＨとＤＰＤＣＨ／Ｅ−ＤＰＤＣＨ／Ｅ−ＤＰＣＣＨとの電力比が該当チャンネルの利得係数により保持されるので、上記ＴＰＣ命令は、ＵＥの総送信電力に関連する。
【００７２】
図１２は、総送信電力が最大許容電力を超過するか否かをスロット単位にチェックし、上記総送信電力が上記最大許容電力を超過する場合に、Ｅ−ＤＣＨがマッピングされるＥ−ＤＰＤＣＨの送信電力のみを調節する例を示す。Ｅ−ＤＰＣＣＨは、Ｅ−ＤＰＤＣＨの復調及び復号のための制御情報を運搬するので、信頼性が保証されなければならない。従って、Ｅ−ＤＰＤＣＨの送信電力が調節される場合にもＥ−ＤＰＣＣＨの電力比率８００は保持される。
【００７３】
図１２を参照すると、１つのＴＴＩ内でＴＰＣ命令が継続して電力増加（UP）を指示して、総送信電力が最大許容電力を超過する。参照符号‘８０２’は、従来技術に従う送信電力の設定を示すもので、上記総送信電力が上記最大許容電力に到達すると、電力増加を指示するＴＰＣ命令が継続して受信されても、すべてのチャンネルの送信電力は、同一な比率で減少される。参照符号‘８０４’は、本発明の第４の実施形態に従う送信電力の設定を示すもので、上記総送信電力が上記最大許容電力に到達した後に、電力増加を指示するＴＰＣ命令が継続して受信されると、Ｅ−ＤＰＤＣＨの送信電力のみを減少させて、他のチャンネルＤＰＤＣＨ／Ｅ−ＤＰＣＣＨ／ＤＰＣＣＨの送信電力は、あらかじめ設定された電力比を保持しつつ同一の比率で増加される。
【００７４】
Ｅ−ＤＰＤＣＨの送信電力を一定の比率だけ減少させても、上記総送信電力が上記最大許容電力を超過する場合には、Ｅ−ＤＰＤＣＨの送信電力を調節する動作を反復することができる。このとき、Ｅ−ＤＰＤＣＨの送信電力があらかじめ設定された最小値、例えば、０になる場合には、Ｅ−ＤＰＤＣＨを伝送しない。それにもかかわらず、上記総送信電力が上記最大許容電力を超過する場合には、残りの各チャンネルに対して電力比を保持しつつ、各チャンネルの送信電力を減少させる。
【００７５】
以下、図１３を参照して、本発明の第４の実施形態によるＵＥの送信電力を設定する手順について詳細に説明する。
図１３を参照すると、ステップ１３０１で、ＵＥの物理階層は、スロットごとに、Ｅ−ＤＰＤＣＨ、ＤＰＤＣＨ、ＤＰＣＣＨ、又はＥ−ＤＰＣＣＨの送信時点であるか否かを確認して、上記物理チャンネルの伝送時点であれば、ＵＥは、上記物理チャンネルの総送信電力Ｐｔｘをあらかじめ設定された最大許容電力Ｐｍａｘと比較する。ここで、上記総送信電力は、基地局から受信されたＴＰＣ命令に従って予測される送信電力である。
【００７６】
上記比較の結果、総送信電力Ｐｔｘが最大許容電力Ｐｍａｘを超過すると、ステップ１３０３に進行する。このとき、Ｐｔｘは、式１のＰｔｘ,ｏｒｉになる。ＵＥは、総送信電力Ｐｔｘが最大許容電力Ｐｍａｘを超過しないＥ−ＤＰＤＣＨの利得係数を求める。上記利得係数を求める方法は、式(1)のような方式にて求められることができる。他の例として、ＵＥは、式(2)のように、上記Ｅ−ＤＰＤＣＨの利得係数を所定の利得オフセットだけ減少させることができる。上記利得係数を求めた後に、ＵＥは、ステップ１３０４に進行する。
【００７７】
ステップ１３０４で、上記求められた利得係数を適用した総送信電力が上記最大許容電力を超過するかをさらに比較する。ここで、Ｐｔｘ’は、ステップ１３０３で求められた新たな利得係数βｅを適用して更新された総送信電力を意味する。このとき、上記総送信電力が上記最大許容電力をやはり超過した場合に、ＵＥは、ステップ１３０５に進行する。ここで、式(2)を使用する場合に、ＵＥは、上記総送信電力が上記最大許容電力を超過しないときまで、上記Ｅ−ＤＰＤＣＨの利得係数を段階的に減少させつつステップ１３０３を反復することができる。
【００７８】
ステップ１３０４の比較の結果、Ｅ−ＤＰＤＣＨの送信電力、すなわち、ステップ１３０３で計算された利得係数を適用して更新された送信電力が可能な最小値、例えば、０になってＥ−ＤＰＤＣＨを伝送することができないが、総送信電力が最大許容電力をやはり超過する場合には、ＵＥの電力資源が不足な状況と見なすことができるので、ＵＥは、ステップ１３０５に進行する。ステップ１３０５で、他のチャンネルＥ−ＤＰＣＣＨ／ＤＰＤＣＨ／ＤＰＣＣＨに対しては、同一の電力比を保持するようにしつつ、上記総送信電力を減少させることができるように、上記他のチャンネルの利得係数を求める。すなわち、ステップ１３０５で、ＤＰＣＣＨとＥ−ＤＰＣＣＨとの間、ＤＰＣＣＨとＤＰＤＣＨとの間、及びＤＰＣＣＨとＥ−ＤＰＣＣＨとの間の電力比が一定に保持される。上述したステップは、スロットごとに遂行される。Ｅ−ＤＰＤＣＨが伝送されないスロットでも、Ｅ−ＤＰＣＣＨは、信頼度を保持しつつ伝送されるので、Ｅ−ＤＰＣＣＨは、他のチャンネルと同一の比率で減少された送信電力で伝送される。
ステップ１３０６で、ＵＥは、上記求められた利得係数に従う送信電力でＥ−ＤＰＤＣＨ／ＤＰＤＣＨ／ＤＰＣＣＨ／Ｅ−ＤＰＣＣＨデータを伝送する。
【００７９】
図１４は、本発明の第４の実施形態によるＵＥの送信装置を示す。図１４において、送信装置は、ＵＥがＤＰＤＣＨ／ＤＰＣＣＨ／Ｅ−ＤＰＤＣＨ／Ｅ−ＤＰＣＣＨ伝送を遂行するように構成される。ＵＥで、図８及び図１１に関連して説明した構成要素と一致する部分であるＤＰＣＣＨ／ＤＰＤＣＨ／Ｅ−ＤＰＣＣＨ生成器１４１３、１４１４、１４１５、１４０４と、レートマッチング部１４２０と、ＨＡＲＱ制御器１４０７と、コーディングブロック１４１７、１４１８、１４１９、１４１６と、変調器１４２２、１４２３、１４２４、１４２５と、拡散器１４２６、１４２７、１４２８、１４２９と、利得調節器１４３０、１４３１、１４３２、１４３３と、チャンネル多重化器１４３４と、スクランブラー１４３５についての詳細な説明は省略し、本発明の第４の実施形態と直接的に関連した部分のみを説明する。
【００８０】
データの伝送が要求されると、ＴＦＣ選択器１４０１は、Ｅ−ＤＣＨデータ１４０２及びＤＣＨデータ１４０３に対するＴＦＣを選択し、上記ＴＦＣに該当する利得係数値１４０５、すなわち、βｅ,ｏｒｉ、βｅｃ、βｃ、βｄを物理チャンネル送信制御器１４０８へ伝送する。また、物理チャンネル送信制御器１４０８は、最大許容電力情報１４０５を受信する。電力増幅器制御器１４０９は、スロットごとに基地局から受信されたＴＰＣ命令に従って電力オフセットＰｏｆｆｓｅｔを用いて電力増幅器１４１２を制御し、上記ＴＰＣ命令に従って予測される送信電力値Ｐ＿ｅｓｔ１４１０を総送信電力Ｐｔｘとして物理チャンネル送信制御器１４０８へ伝送する。物理チャンネル送信制御器１４０８は、上記総送信電力値１４１０を用いて図１３のような手順に従って各チャンネルの利得係数を再設定し、上記再設定された利得係数βｃ、βｄ、βｅｃ、βｅを利得調節器１４３０、１４３１、１４３２、１４３３へ提供する。
【００８１】
本発明の第４の実施形態では、総送信電力が最大許容電力を超過しないように、スロット別にＥ−ＤＰＤＣＨの利得係数を再計算する時、スロットごとに電力増幅器制御器１４０９から総送信電力Ｐ_ｅｓｔを受信する。しかしながら、ＲＦユニットとモデムが区分されているＵＥの構造的な特性上、物理チャンネル送信制御器１４０８が電力増幅器制御器１４０９からスロットごとに総送信電力情報を受信することはあり得ないことである。
従って、このような問題点を解消するためには、本発明の第４の実施形態による送信装置の他の例を図１５に示す。
【００８２】
上記変形された第４の実施形態では、電力増幅器制御器１５０９は、物理チャンネル送信制御器１５０８にスロットごとにＰ＿ｅｓｔを伝達するものではなく、あらかじめ設定された特定のスロットごとにＰ＿ｅｓｔを伝達する。このような場合、物理チャンネル送信制御器１５０８は、上記特定のスロットを除いた残りのスロットでＰ＿ｅｓｔを正確に認識できないので、上記特定のスロット及び上記残りのスロットに対してすべての可能なＰ＿ｅｓｔ値を予測し、上記予測されたＰ＿ｅｓｔ値に対するＥ−ＤＰＤＣＨの利得係数を計算する。ここで、上記残りのスロットのＰ＿ｅｓｔ値は、上記特定のスロットのＰ＿ｅｓｔ値にＴＰＣに従う電力制御単位値（以下、‘Ｄｅｌｔａ’と称する）を加算するか、又は上記特定のスロットのＰ＿ｅｓｔ値からＴＰＣに従うＤｅｌｔａを減算することによって求められる。
【００８３】
一例として、２スロットごとにＰ＿ｅｓｔを伝達する場合に、予測される利得係数の形態は、下記のようになる。
一番目のスロット：Ｐ＿ｅｓｔ０⇒β〜e0
二番目のスロット：ＴＰＣ ＵＰを受信する場合に
Ｐ_ｅｓｔ１＿ｕｐ＝Ｐ＿ｅｓｔ０＋Ｄｅｌｔａ→β〜e0_up
ＴＰＣ ＤＯＷＮを受信する場合に、
Ｐ_ｅｓｔ１＿ｄｏｗｎ＝Ｐ＿ｅｓｔ０−Ｄｅｌｔａ→β〜e0_down
なお、上記β〜は、
【００８４】
【数３】
2006014304.tif 000012
【００８５】
を表しているものとする。以下、同様とする。
上記例において、ＵＥは、２番目のスロットごとに Ｐ＿ｅｓｔ０を受信して上記Ｐ＿ｅｓｔ０に基づいて図１３の手順を遂行してＥ−ＤＰＤＣＨの利得係数β〜e0を計算し、その後に、次のスロットの予測された総送信電力β〜elに従って上記次のスロットに対する利得係数β〜elを計算する。このとき、上記次のスロットでは、ＵＰのＴＰＣ命令を受信し、ＤＯＷＮのＴＰＣ命令を受信する場合に、β〜e0_up及びβ〜e0_downをすべて求める。
上記のように、物理チャンネル送信制御器１５０８は、３つのβ〜e値をあらかじめ計算し、スロットごとに受信されたＴＰＣ命令に基づいて上記３つのβ〜e値のうちの１つを選択して適用する。
‘Ｋ’スロットごとに電力増幅器制御器１５０９からＰ＿ｅｓｔ０が伝達される場合に、他のスロットの予測された利得係数の個数Ｍは、２（ｋ−１）になる。
【００８６】
図１５において、図８及び図１１に関連して説明された構成要素と一致する部分、すなわち、ＤＰＣＣＨ／ＤＰＤＣＨ／Ｅ−ＤＰＤＣＨ生成器１５１３、１５１４、１５１５、１５０４、レートマッチング器１５２０、ＨＡＲＱ制御器１５０７、コーディングブロック１５１７、１５１８、１５１９、１５１６、変調器１５２２、１５２３、１５２４、１５２５、拡散器１５２６、１５２７、１５２８、１５２９、利得調節器１５３０、１５３１、１５３２、１５３３、チャンネル多重化器１５３４、及びスクランブラー１５３５についての説明は省略し、本発明の第４の実施形態と直接的に関連した部分について説明する。
【００８７】
ＴＦＣ選択器１５０１は、Ｅ−ＤＣＨデータ１５０２及びＤＣＨデータ１５０３に対するＴＦＣを選択し、上記ＴＦＣに該当する利得係数値１５０５、すなわち、βｅ,ｏｒｉ、βｅｃ、βｃ及びβｄを物理チャンネル送信制御器１５０８へ伝送する。また、物理チャンネル送信制御器１５０８は、最大許容電力（Ｐｍａｘ）１５０６に関する情報を受信する。電力増幅器制御器１５０９は、スロットごとに基地局から受信されたＴＰＣ命令に従って電力増幅器１５１２を制御し、あらかじめ設定された特定のスロットで上記ＴＰＣ命令に従って予測された総送信電力値（Ｐ＿ｅｓｔ０）１５１０を物理チャンネル送信制御器１５０８へ伝送する。
【００８８】
物理チャンネル送信制御器１５０８は、上記特定のスロットごとにＰ＿ｅｓｔ０１５１０を受信して各チャンネルの利得係数１５４３を求めて利得調節器１５３０、１５３１、１５３２、１５３３へ提供する。特に、上記特定のスロットを除いた他のスロットに対しては、可能なＰ＿ｅｓｔｋ＿ｕｐ／ｄｏｗｎ（ｋ＝１、２、…、２（K−１））を予測し、上記予測されたＰ＿ｅｓｔｋ＿ｕｐ／ｄｏｗｎに対してＥ−ＤＰＤＣＨの可能なすべての利得係数β〜ek_up、β〜ek_downをそれぞれ計算する。上記可能なすべての利得係数を計算した後に、物理チャンネル送信制御器１５０８は、上記特定のスロット後のｋ番目のスロットごとにＴＰＣ命令を受信し、該当する利得係数β〜ek_up又はβ〜ek_downをＥ−ＤＰＤＣＨの利得調節器１５３３へ伝達する。このとき、Ｅ−ＤＰＤＣＨを除いた他のチャンネルの送信電力は、電力増幅器１５１２によって同一の比率で調節されることができる。
【００８９】
第５の実施形態
本発明の第５の実施形態では、ＵＥの総送信電力が最大許容電力を超過する場合に、Ｅ−ＤＰＤＣＨの電力を優先的に減少させた後に、優先順位が低いチャンネルから優先順位が高いチャンネルの順序に、他のチャンネルの電力を順次に減少させる。
まず、ＤＰＤＣＨ、ＤＰＣＣＨ、Ｅ−ＤＰＤＣＨ、及びＥ−ＤＰＣＣＨが存在する状況を仮定する。このとき、各チャンネルの優先順位を設定するために、該当チャンネルが再伝送を支援するか否かを優先的に考慮した後に、該当チャンネルが制御チャンネルであるか否かを考慮する。この場合、各チャンネルの優先順位がＤＰＣＣＨ／Ｅ−ＤＰＣＣＨ／ＤＰＤＣＨ／Ｅ−ＤＰＤＣＨの順序にチャンネル優先順位を設定してもよい。また、該当チャンネルが制御チャンネルであるか否かを優先的に考慮した後に、該当チャンネルが再伝送を支援するか否かを考慮する場合に、ＤＰＣＣＨ／ＤＰＤＣＨ／Ｅ−ＤＰＣＣＨ／Ｅ−ＤＰＤＣＨの順序に各チャンネルの優先順位を設定してもよい。
【００９０】
以下、各チャンネルの優先順位がＤＰＣＣＨ／Ｅ−ＤＰＣＣＨ／ＤＰＤＣＨ／Ｅ−ＤＰＤＣＨの順序に設定される場合を例に挙げて説明する。まず、ＵＥの総送信電力が最大許容電力を超過する場合に、ＵＥは、優先順位が一番低いＥ−ＤＰＤＣＨの送信電力を利得係数又は電力オフセット値を用いて調整し、他のチャンネルに対しては、電力調整を遂行しない。
Ｅ−ＤＰＤＣＨの送信電力があらかじめ設定された最小値、例えば、０に設定されたにもかかわらず、ＵＥの総送信電力が最大許容電力を超過する場合には、Ｅ−ＤＰＣＣＨの送信電力を調節し、他のチャンネルに対しては、電力調節を遂行しない。このとき、Ｅ−ＤＰＣＣＨがＥ−ＤＰＤＣＨの復調及び復号のために必須の制御情報を運搬するので、Ｅ−ＤＰＣＣＨは、あらかじめ設定された最小電力（０ではない）を保持するように調節される。同様に、上記Ｅ−ＤＰＣＣＨの送信電力が上記最小電力として設定されたにもかかわらず、ＵＥの総送信電力が最大許容電力を超過する場合に、他のチャンネル、すなわち、ＤＰＣＣＨ及びＤＰＤＣＨに対してあらかじめ設定された最小電力を保持するように電力調節を順次に遂行する。
【００９１】
第６の実施形態
本発明の第６の実施形態では、上記総送信電力が上記最大許容電力を超過するか否かを確認して最大許容電力を超過する場合に、最小ＴＴＩの単位にＥ−ＤＰＤＣＨの送信電力を減少させる。Ｅ−ＤＰＤＣＨの送信電力は、Ｅ−ＤＰＤＣＨの利得係数を調節することによって減少させることができる。
最小のＴＴＩ単位にＥ−ＤＰＤＣＨの送信電力を減少させたことにもかかわらず、スロット単位に発生する電力制御によって上記総送信電力が上記最大送信電力を超過する。この場合には、チャンネル間の電力比を保持しつつ、上記総送信電力が上記最大許容電力を超過しないようにすべてのチャンネルの送信電力を同一の比率で減少させる。このとき、上記チャンネルは、Ｅ−ＤＰＤＣＨを含んでＤＰＤＣＨ、ＤＰＣＣＨ、及びＥ−ＤＰＣＣＨなどを意味する。
【００９２】
具体的に、Ｅ−ＤＰＤＣＨが２ｍｓ又は１０ｍｓのＴＴＩに設定され、１０ｍｓ又はそれ以上のＴＴＩに伝送されるＤＰＤＣＨが存在する場合に、ＵＥは、Ｅ−ＤＰＤＣＨの最小ＴＴＩである２ｍｓのＴＴＩ単位に、上記総送信電力が上記最大許容電力を超過するか否かを確認して、２ｍｓの単位にＥ−ＤＰＤＣＨの送信電力を調節する。その後、１０ｍｓのＴＴＩ内に１５個のスロットが存在し、２ｍｓのＴＴＩ内に３個のスロットが存在する場合に、ＵＥは、２ｍｓの単位にＥ−ＤＰＤＣＨの送信電力を調節した後に、各スロット単位に電力制御を考慮して総送信電力を調節する。 
上述した方式にて動作するＵＥの具体的な遂行手順は、第４の実施形態と同一である。但し、上記動作を遂行する周期は、スロット単位の代わりに、最小ＴＴＩの単位、特に、Ｅ−ＤＰＤＣＨの最小ＴＴＩに設定されることが望ましい。
【００９３】
以上、本発明の詳細について具体的な実施の形態に基づき説明してきたが、本発明の範囲を逸脱しない限り、各種の変形が可能なのは明らかである。従って、本発明の範囲は、上記実施の形態に限定されるものではなく、特許請求の範囲の記載及び該記載と均等なものにより定められるべきである。
【図面の簡単な説明】
【００９４】
【図１】Ｅ−ＤＣＨが従来のデータ伝送のために使用される状況を示す基本概念図である。
【図２】従来のＥ−ＤＣＨの基本的な送受信手順を示す図である。
【図３】ＷＣＤＭＡシステムにおける従来のＥ−ＤＣＨを介したデータ伝送の一例を示す図である。
【図４】従来技術によるＵＥの送信側の構成を示すブロック図である。
【図５】従来技術によるＥ−ＤＣＨデータを再伝送する間に発生する問題点の一例を示す図である。
【図６】本発明の実施形態によるＵＥの送信電力を変更する一例を示す図である。
【図７】本発明の第１の実施形態によるＵＥの物理階層の送信電力を設定する手順を示すフローチャートである。
【図８】本発明の第１の実施形態によるＵＥの送信装置を示すブロック図である。
【図９】本発明の第２の実施形態によるＵＥの物理階層の送信電力を設定する手順を示すフローチャートである。
【図１０】本発明の第３の実施形態による伝送フォーマット組合せ（ＴＦＣ）を選択する手順を示すフローチャートである。
【図１１】本発明の第３の実施形態によるＵＥの送信装置を示すブロック図である。
【図１２】本発明の第４の実施形態によるＵＥの電力設定を従来技術と比較して示す図である。
【図１３】本発明の第４の実施形態によるＵＥの電力設定手順を示す図である。
【図１４】本発明の第４の実施形態によるＵＥの送信装置の一例を示すブロック図である。
【図１５】本発明の第４の実施形態によるＵＥの送信装置の他の例を示すブロック図である。
【符号の説明】
【００９５】
７０１    ＴＦＣ選択器
７０３    Ｅ−ＤＰＤＣＨ生成器
７０６    物理チャンネル送信制御器
７０８、７１２、７１７、７２９    拡散器
７０９、７１５、７２０、７２５    コーディングブロック
７１０    レートマッチング器
７１１、７１６、７２１、７２８    変調器
７１３、７１８、７２２、７３０    利得調節器
７１４    ＤＰＤＣＨ生成器
７１９    ＤＰＣＣＨ生成器
７２３    多重化器
７２４    スクランブラー
７２５    ＲＦユニット
７２６    ＨＡＲＱ制御器
【図１】
2006014304.tif 000013
【図２】
2006014304.tif 000014
【図３】
2006014304.tif 000015
【図４】
2006014304.tif 000016
【図５】
2006014304.tif 000017
【図６】
2006014304.tif 000018
【図７】
2006014304.tif 000019
【図８】
2006014304.tif 000020
【図９】
2006014304.tif 000021
【図１０】
2006014304.tif 000022
【図１１】
2006014304.tif 000023
【図１２】
2006014304.tif 000024
【図１３】
2006014304.tif 000025
【図１４】
2006014304.tif 000026
【図１５】
2006014304.tif 000027
【外国語明細書】
2006014304.tif 000028
2006014304.tif 000029
2006014304.tif 000030
2006014304.tif 000031
2006014304.tif 000032
2006014304.tif 000033
2006014304.tif 000034
2006014304.tif 000035
2006014304.tif 000036
2006014304.tif 000037
2006014304.tif 000038
2006014304.tif 000039
2006014304.tif 000040
2006014304.tif 000041
2006014304.tif 000042
2006014304.tif 000043
2006014304.tif 000044
2006014304.tif 000045
2006014304.tif 000046
2006014304.tif 000047
2006014304.tif 000048
2006014304.tif 000049
2006014304.tif 000050
2006014304.tif 000051
2006014304.tif 000052
2006014304.tif 000053
2006014304.tif 000054
2006014304.tif 000055
2006014304.tif 000056
2006014304.tif 000057
2006014304.tif 000058
2006014304.tif 000059
2006014304.tif 000060
2006014304.tif 000061
2006014304.tif 000062
2006014304.tif 000063
2006014304.tif 000064
2006014304.tif 000065
2006014304.tif 000066
2006014304.tif 000067
2006014304.tif 000068
2006014304.tif 000069
2006014304.tif 000070
2006014304.tif 000071
2006014304.tif 000072
2006014304.tif 000073
2006014304.tif 000074
2006014304.tif 000075